(57)【特許請求の範囲】
【請求項１】
固定部材を有する索状体をシートフレームに固定する索状体の固定構造であって、
前記固定部材は、前記索状体を保持するホルダー部と、前記シートフレームに挿通された後に拡径して嵌合する挿入部と、を備え、
前記シートフレームは、少なくとも互いの一部が重ねられた第１の板材と第２の板材とを有し、
前記第１の板材には、前記挿入部が挿通される第１の固定部材係止孔が形成され、
前記第２の板材には、前記第１の固定部材係止孔と重なる位置に、前記挿入部が挿通される第２の固定部材係止孔が形成され、
前記挿入部は、前記第１の固定部材係止孔と係合する第１の段差部と、前記第２の固定部材係止孔と係合する第２の段差部と、が形成されてなり、前記第１の固定部材係止孔を介して前記第２の固定部材係止孔側に挿入され、
前記第１の固定部材係止孔の内径は、前記第２の固定部材係止孔の内径よりも内側に形成されてなることを特徴とする索状体の固定構造。
【請求項２】
前記固定部材は、前記ホルダー部と前記挿入部との間に設けられ前記第１の板材を前記挿入部側へ押圧する付勢部を備えてなることを特徴とする請求項１に記載の索状体の固定構造。
【請求項３】
前記シートフレームは、側方に位置する一対のサイドフレームと、該一対のサイドフレームの下方を連結する下部フレームと、を備え、
前記第１の板材及び前記第２の板材は、前記一対のサイドフレームのうちのいずれか一方と、前記下部フレームと、であることを特徴とする請求項１又は２に記載の索状体の固定構造。
【発明の詳細な説明】
【技術分野】
【０００１】
本発明は、索状体の固定構造に係り、特に取り付け強度の高い索状体の固定構造に関する。
【背景技術】
【０００２】
従来、自動車等の車両用シートにおいて電装品が取り付けられることが一般的である。そして、このような電装品に電力を供給したり、電装品によって特定の部材を稼働させたりするため、車両用シートの周囲にはハーネス等の索状体が配設される。
【０００３】
このような電装品の例として、たとえば、リクライニングモータやスライドモータ等のモータ類や、サイドエアバッグ等の安全装置が挙げられる。そして、モータ類や安全装置を稼働させるための電力供給、及び制御信号の送受信を行うため、これらの電装品からは、適当な長さのハーネスが延設される。
【０００４】
そしてこのとき、ハーネスは、外部からの干渉による損傷を防ぐため、適度な撓み部分を備えた状態で、シートフレームに固定されるのが一般的である。ハーネスの適当な位置にはクリップが取り付けられており、そのクリップをシートフレームに予め形成された孔に係止することによって、ハーネスが車両用シートのシートフレームに固定される。
【０００５】
特許文献１には、シートフレームのサイドフレーム（特許文献１では「サイドプレート」と記載されている）に形成された開口のエッジ部よりも、開口の内側に延設されたホルダーアーム部を備えたクリップによって、ハーネスをサイドフレームに固定する技術が開示されている。このとき、ホルダーアーム部は、ハーネスを狭持するホルダー部を備えており、そのホルダー部と対向する位置において備えられた突起部がサイドフレームに貫通することによって固定される。
【０００６】
また、特許文献２には、シートバックフレームの側面に配設されるハーネス（特許文献２では「ケーブル」と記載されている）に第一クリップ、第二クリップ、第三クリップを取り付け、これらクリップを、それぞれ一枚の板状体に嵌合させる技術が開示されている。
【先行技術文献】
【特許文献】
【０００７】
【特許文献１】特開２００１−３０８１９号公報
【特許文献２】特開２００９−１７９３０３号公報
【発明の概要】
【発明が解決しようとする課題】
【０００８】
特許文献１において開示された技術では、一枚の板状体からなるサイドフレームに形成された孔に対し、断面楔形に形成された可撓性のクリップの突起部をシートフレームの内側から挿入（圧入）し、孔に挿通された突起部がシートフレームの外側に到達すると突起部が拡径し、クリップがサイドフレームに係止される構成である。
【０００９】
また、特許文献２において開示された技術では、バックフレームに取り付けられた一枚の板片からなるストッパ部材に、第二クリップの挿入部が圧入され、その後挿入部が拡径することにより第二クリップがストッパ部材に係止される。その他、第一クリップ及び第三クリップもまた、それぞれ一枚の板片からなるバックフレームや、ブラケットに嵌合される。
【００１０】
このように、上記特許文献１及び特許文献２において、シートフレームを構成する各部材は一枚の板状体によって構成されており、ハーネス等の索状体を固定するためのクリップを、その板状体に嵌合させることによって固定されることが多かった。
【００１１】
したがって、可撓性のクリップを、シートフレームに形成された孔に圧入して取り付ける構成であるため、簡単な構成であり作業性が高いが、クリップをより強固にシートフレームに取り付ける技術が求められていた。
【００１２】
また、特許文献２では、クリップを取り付けるために、ストッパ部材をさらにバックフレームに取り付けたりするなど、クリップを取り付けるための部材を別途組み付ける作業が生じていた。したがって、ストッパ部材を別途組み付けることにより複数の部材を設けると、接合箇所が増えるため、組み付け工程が複雑化し、製造工程が長くなるという問題点があった。
【００１３】
本発明の目的は、車両用シートに備えられるハーネス等の索状体の固定構造において、取り付け強度の高い索状体の固定構造を提供することにある。また、本発明の他の目的は、車両用シートに備えられるハーネス等の索状体の固定構造において、その構成が簡単であり、作業工程が簡素化可能な索状体の固定構造を提供することにある。
【課題を解決するための手段】
【００１６】
前記課題は、本発明に係る索状体の固定構造によれば、固定部材を有する索状体をシートフレームに固定する索状体の固定構造であって、前記固定部材は、前記索状体を保持するホルダー部と、前記シートフレームに挿通された後に拡径して嵌合する挿入部と、を備え、前記シートフレームは、少なくとも互いの一部が重ねられた第１の板材と第２の板材とを有し、前記第１の板材には、前記挿入部が挿通される第１の固定部材係止孔が形成され、前記第２の板材には、前記第１の固定部材係止孔と重なる位置に、前記挿入部が挿通される第２の固定部材係止孔が形成され、前記挿入部は、前記第１の固定部材係止孔と係合する第１の段差部と、前記第２の固定部材係止孔と係合する第２の段差部と、が形成されてなり、前記第１の固定部材係止孔を介して前記第２の固定部材係止孔側に挿入され、前記第１の固定部材係止孔の内径は、前記第２の固定部材係止孔の内径よりも内側に形成されてなること、により解決される。
このように、固定部材において、外径がそれぞれ異なる第１の段差部と第２の段差部とを備えることにより、それぞれの段差部が第１の固定部材係止孔及び第２の固定部材係止孔とそれぞれ係合する。これにより、固定部材と固定部材係止孔とが係合する部分が増えるため、より強固にシートフレームに対して固定部材を固定することができる。
【００１７】
さらに、前記固定部材は、前記ホルダー部と前記挿入部との間に設けられ前記第１の板材を前記挿入部側へ押圧する付勢部を備えてなると好適である。
このように、固定部材には、付勢部が備えられていると好ましい。この付勢部が第１の板材に当接し、第１の板材を挿入部側へ押圧することにより、固定部材の挿入部は、固定部材係止孔に対して強固に押しつけられる。したがって、より確実に固定部材をシートフレームに固定することができる。
【００１８】
また、前記シートフレームは、側方に位置する一対のサイドフレームと、該一対のサイドフレームの下方を連結する下部フレームと、を備え、前記第１の板材及び前記第２の板材は、前記一対のサイドフレームのうちのいずれか一方と、前記下部フレームと、であると好ましい。
このように、固定部材の取り付け位置を、シートフレームのサイドフレームと下部フレームの接合部分とすることができる。サイドフレームと下部フレームは、一般に、板材によって構成されると共に、これらは互いにその一部が重ねられて接合されていることが多い。したがって、上記箇所に固定部材を固定する構成とすると、特別な部材を設ける必要が無く、シートフレームの構造が複雑化することがない。
【発明の効果】
【００１９】
本発明に係る索状体の固定構造によれば、第１の段差部と第２の段差部とを固定部材に設けることにより、シートフレームとの接触箇所を増やすことができ、その結果、強固に固定部材をシートフレームに取り付けることができる。したがって、より強固に索状体をシートフレームに固定することが可能である。
本発明に係る索状体の固定構造によれば、付勢部を備えることにより、固定部材がより確実にシートフレームに固定される。したがって、より強固に索状体を固定することが可能となる。
本発明に係る索状体の固定構造によれば、特別な部材を備えることなく、簡単な構成で固定部材を係止可能であるため、作業工程を簡素化することができる。
【図面の簡単な説明】
【００２０】
【図１】本発明の一実施形態に係るシートの概略斜視図である。
【図２】本発明の一実施形態に係るシートフレームの概略斜視図である。
【図３】本発明の一実施形態に係るシートフレームの背面図である。
【図４】本発明の一実施形態に係るシートバックフレームの概略断面説明図である。
【図５】図４のＡ−Ａ線に相当する概略断面図である。
【図６】本発明の一実施形態に係るサイドフレームと下部フレームの拡大説明図である。
【図７】図６のＢ−Ｂ線に相当する概略断面図である。
【発明を実施するための形態】
【００２１】
以下、本発明の一実施形態について、図を参照して説明する。なお、以下に説明する部材、配置等は、本発明を限定するものではなく、本発明の趣旨に沿って各種改変することができることはもちろんである。
【００２２】
図１乃至図７は本発明の一実施形態に係るものであり、図１はシートの概略斜視図、図２はシートフレームの概略斜視図、図３はシートフレームの背面図、図４はシートバックフレームの概略断面説明図、図５は図４のＡ−Ａ線に相当する概略断面図、図６はサイドフレームと下部フレームの拡大説明図、図７は図６のＢ−Ｂ線に相当する概略断面図である。なお、本明細書のシートフレームＦの方向に関する説明において、「内側」とは、シートフレームＦにおいて乗員が着座する側、すなわち、サイドフレーム１５，１５によって挟まれ、シートフレームＦによって区画される空間が位置する側であり、「外側」とは、シートフレームＦにおいて乗員が着座しない側を指すものである。また、「左右方向」とは、シートバックフレーム１の幅方向を指すものである。
【００２３】
図１乃至図７を参照して、本発明の索状体の固定構造を備えた車両用シートＳについて説明する。なお、以下の説明において、本発明の索状体の固定構造に関し、サイドエアバッグ４０が備えられたサイドフレーム１５を「第１の板材」とし、下部フレーム１７を「第２の板材」として例に挙げて詳述するが、本発明の索状体の固定構造は、これに限定されず、他の部材において備えることができる。
【００２４】
（車両用シートＳの構成）
車両用シートＳは、図１で示すように、シートバックＳ１（背部）、着座部Ｓ２、ヘッドレストＳ３より構成されており、シートバックＳ１（背部）及び着座部Ｓ２はシートフレームＦにクッションパッド１ａ，２ａを載置して、表皮材１ｂ，２ｂで被覆されている。なお、ヘッドレストＳ３は、頭部の芯材（不図示）にパッド材３ａを配して、表皮材３ｂで被覆して形成される。また符号１９は、ヘッドレストＳ３を支持するヘッドレストピラーである。なお、本実施形態ではシートバックＳ１とヘッドレストＳ３が別体となって形成されている例を示したが、シートバックＳ１とヘッドレストＳ３が一体となって形成されたバケットタイプとしても良い。
【００２５】
車両用シートＳのシートフレームＦは、図２で示すように、シートバックＳ１を構成するシートバックフレーム１、着座部Ｓ２を構成する着座フレーム２から構成されている。
着座フレーム２は、上述のようにクッションパッド２ａを載置して、クッションパッド２ａの上から表皮材２ｂによって覆われており、乗員を下部から支持する構成となっている。着座フレーム２は脚部で支持されており、この脚部には、図示しないインナレールが取り付けられ、車体フロアに設置されるアウタレールとの間で、前後に位置調整可能なスライド式に組み立てられている。
また着座フレーム２の後端部は、リクライニング機構１１を介してシートバックフレーム１と連結されている。
【００２６】
リクライニング機構１１は、少なくともリクライニング機構１１の回動軸に沿ったリクライニングシャフト１１ａを備えており、リクライニングシャフト１１ａは、シートバックフレーム１（より詳細には、一対のサイドフレーム１５，１５）の下方に備えられた一対の側方部１７ａ，１７ａ（メンバーサイド）に設けられたシャフト挿通孔（不図示）からシートフレームＦの外側に突出するように貫通して配設されている。
【００２７】
シートバックＳ１は、シートバックフレーム１に、上述のようにクッションパッド１ａを載置して、クッションパッド１ａの上から表皮材１ｂにより覆われており、乗員の背中を後方から支持するものである。本実施の形態において、シートバックフレーム１は、図２で示すように、略矩形状の枠体となっており、サイドフレーム１５，１５と上部フレーム１６と下部フレーム１７とを備えている。
【００２８】
２本（一対）のサイドフレーム１５，１５は、シートバック幅を構成するため、左右方向に離間して配設され、上下方向に延在するように配設されている。サイドフレーム１５は、図２で示すように、シートバックフレーム１の側面を構成する延伸部材であり、平板状の側板１５ａと、この側板１５ａの前端部（乗物前方側に位置する端部）からＵ字型に内側へ屈曲し、折り返した前縁部１５ｂと、後端部からＬ字型に内側へ屈曲した後縁部１５ｃとを有している。
【００２９】
そして、一対のサイドフレーム１５の上端部側を連結する上部フレーム１６が、サイドフレーム１５から上方に延出している。なお、上部フレーム１６は、一方のサイドフレーム１５から上方に延設された後、屈曲し、他方のサイドフレーム１５まで延設されている。
【００３０】
図２で示すように、管状部材としての上部フレーム１６は、略矩形状に屈曲されており、上部フレーム１６の側面部１６ａは、サイドフレーム１５の側板１５ａに対して上下方向に沿って一部が重なるように配設され、この重なり部分においてサイドフレーム１５に固着接合される。
【００３１】
また、上部フレーム１６の上方には、ヘッドレストＳ３を配設するためのピラー支持部１８，１８が備えられている。そして、ピラー支持部１８，１８には、管状部材からなるヘッドレストピラー１９，１９が挿入され、固定される。このピラー支持部１８，１８には、ヘッドレストＳ３を支持するヘッドレストピラー１９，１９がガイドロック（不図示）を介して取り付けられ、ヘッドレストＳ３が取り付けられるようになっている。
なお、上記シートバックフレーム１の構成は一例であり、ヘッドレストピラー１９，１９が取り付けられる構成は、その他、公知の構成を用いることができる。
【００３２】
シートバックフレーム１の下部フレーム１７は、側方部１７ａ，１７ａ及び中央部１７ｂによって構成されている。中央部１７ｂ（メンバーセンター）は、左右方向に離間して配設された一対の側方部１７ａ，１７ａを連結するように形成され、側方部１７ａ，１７ａに対して固着接合されている。
【００３３】
本発明の板材としての下部フレーム１７の側方部１７ａ，１７ａは、同じく板材としてのサイドフレーム１５，１５の側板１５ａ，１５ａの下側の一部に重ねられ、連結されている。したがって、シートフレームＦは、この部分において、二枚の板材が重ねられた構成を有している。そして、二枚の板材（すなわち、サイドフレーム１５の側板１５ａ及び下部フレーム１７の側方部１７ａ）には、後述のクリップ３０を係止する第１の固定部材係止孔としてのクリップ係止孔１５ｅ及び第２の固定部材係止孔としてのクリップ係止孔１７ｃが形成されている。なお、クリップ係止孔１５ｅ，１７ｃ及びクリップ３０の詳細は後述する。
【００３４】
側方部１７ａ，１７ａは、側板１５ａ，１５ａの下方を延長するように形成されており、着座フレーム２との関係で、支障のない範囲で延長されている。なお、このとき、側方部１７ａ，１７ａは下部フレーム１５，１５の側板１５ａ，１５ａの内側に当接して配設されている。
【００３５】
なお、本実施形態のサイドフレーム１５，１５、側方部１７ａ，１７ａ及び中央部１７ｂは、それぞれ個別の板片によって別部材として形成されている構成を示したが、一体に形成されていても良い。
【００３６】
また、側方部１７ａにおいて、リクライニングシャフト１１ａが貫通して配設される挿通孔の上方には、側方部１７ａをサイドフレーム１５に取り付けるための取り付け孔が複数形成されていてもよい。サイドフレーム１５の下方には、側方部１７ａの一部が重ねられた際に、取り付け孔と整合する位置において孔が設けられており、このサイドフレーム１５に形成された孔と側方部１７ａの取り付け孔とを貫通するようにボルト等の接合手段が貫通され、サイドフレーム１５と側方部１７ａとが接合される構成としても良い。
【００３７】
さらに、一方のサイドフレーム１５の側板１５ａには、サイドエアバッグ４０等の安全装置や、電装品が備えられている。そして、これら安全装置又は電装品からは、電力供給及び信号の送受信を行うためのハーネスＨが延設されており、シートバックフレーム１に取り付けられる。
【００３８】
（ハーネスＨの固定構造）
以下、図３乃至図５を参照して、本発明のハーネスＨ等の索状体の固定構造について説明する。
ハーネスＨは、サイドエアバッグ４０等の安全装置や、リクライニングモータ、スライドモータ等の電装品にその一端が接続されており、これらの安全装置または電装品に電力及び操作信号を送受信するためのケーブルを備えている。そして、そのケーブルは、他の部材との摩擦による損傷を防止するため、適当な強度及び可撓性を備えた材料で被覆されている。
【００３９】
ハーネスＨは、固定部材としてのクリップ３０が複数取り付けられており、下部フレーム１７の長手方向（より詳細には、中央部１７ｂの長手方向）に沿って固定される。また、ハーネスＨは、サイドエアバッグ４０から延出されているものもあり、このように、複数のハーネスＨがシートフレームＦに取り付けられる。
【００４０】
このとき、下部フレーム１７を構成する中央部１７ｂには複数のクリップ係止孔１７ｄ，１７ｅ、側方部１７ａ，１７ａにはクリップ係止孔１７ｃがそれぞれ形成されており、これらのクリップ係止孔１７ｃ，１７ｄ，１７ｅに対し、ハーネスＨに取り付けられたクリップ３０がそれぞれ圧入されることにより、ハーネスＨが下部フレーム１７等のシートフレームＦの構成部材に取り付けられる。このとき、クリップ３０は、シートフレームＦの後方から圧入され、内側にクリップ３０が突出する構成となる。
【００４１】
なお、下部フレーム１７の中央部１７ｂに形成されるクリップ係止孔１７ｅ，１７ｅは、後方へ突出した凸部上に形成されている。これにより、クリップ係止孔１７ｅ，１７ｅ近傍の強度が向上するため、クリップ３０の取り付けを安定して行うことができる。
【００４２】
そして、ハーネスＨの一部は、下部フレーム１７からサイドフレーム１５，１５の外側に回り込むように屈曲して延設されている。サイドフレーム１５の外側に配設される部分のハーネスＨに係止されたクリップ３０は、側板１５ａに形成された第１の固定部材係止孔としてのクリップ係止孔１５ｅを介して、さらに下部フレーム１７の側方部１７ａに形成された第２の固定部材係止孔としてのクリップ係止孔１７ｃに挿入される。すなわち、クリップ３０は、サイドフレーム１５の側板１５ａと、下部フレーム１７の側方部１７ａとが密着して重ねられた部分において貫通し、固定される。
【００４３】
サイドフレーム１５に形成されたクリップ係止孔１５ｅ及び下部フレーム１７の側方部１７ａに形成されたクリップ係止孔１７ｃは、略同心円状に切除された孔であり、クリップ係止孔１５ｅの内径は、クリップ係止孔１７ｃの内径よりも内側に形成されている。なお、図４は、説明のため、クリップ係止孔１５ｅ，１７ｃにおいてクリップ３０が取り付けられていない状態を説明するものである。
【００４４】
つまり、クリップ係止孔１５ｅの直径は、クリップ係止孔１７ｃの直径よりも小さく形成されている。換言すると、クリップ３０が差し込まれる側に形成されたクリップ係止孔１５ｅは、クリップ３０の挿入部３２が配設される側のクリップ係止孔１７ｃよりもその直径が小さく形成されている。
【００４５】
次に、図５を参照して、クリップ３０の構成について説明する。
クリップ３０は、ハーネスＨを保持するホルダー部３１と、ホルダー部３１から延設され、シートフレームＦに挿通され、上記のクリップ係止孔１５ｅ，１７ｃに嵌合して係止される可撓性の挿入部３２と、ホルダー部３１と挿入部３２との間に設けられる付勢部３３とを備えている。なお、クリップ３０は、他のクリップ係止孔１７ｄ，１７ｅに固定可能であり、汎用性が高いが、特にクリップ係止孔１５ｅ，１７ｃに係止された状態のクリップ３０について説明する。
【００４６】
クリップ３０のホルダー部３１は、ハーネスＨが挿通可能であり、且つハーネスＨとクリップ３０が位置ずれすることのないように、適度な開口径を備えている。したがって、ハーネスＨは、ホルダー部３１に嵌合する構成である。また、ホルダー部３１はＣ字形状に形成されており、ハーネスＨを狭持する構成としても良い。その他、ハーネスＨを保持することが可能であれば、公知の構成を適宜用いることができる。
【００４７】
そして、ホルダー部３１から延設される挿入部３２は、略円錐台の先細り形状に形成されている。この挿入部３２は、拡径、縮径が可能な可撓性を備えており、クリップ係止孔１５ｅ，１７ｃに圧入する際に縮径が容易となるように、適宜、空洞部３４が形成されている。空洞部３４は、挿入部３２を撓みやすくするため、先端部３７側から、後述の第２の段差部３６までの範囲において形成されていると好ましい。
【００４８】
このように、挿入部３２において適当な可撓性を備える必要があるため、クリップ３０は、合成樹脂等によって形成されていると好ましい。
【００４９】
挿入部３２の外周には、第１の固定部材係止孔としてのクリップ係止孔１５ｅに係合する第１の段差部３５と、第２の固定部材係止孔としてクリップ係止孔１７ｃに係合する第２の段差部３６とがテーパー状に形成されている。第１の段差部３５は、ホルダー部３１側に形成されており、第１の段差部３５の外径は、クリップ係止孔１５ｅの内径と略等しいか、またはクリップ係止孔１５ｅの内径が若干大きく形成されている。
【００５０】
第２の段差部３６は、第１の段差部３５と先端部３７との間に形成されており、第２の段差部３６の外径は、第１の段差部３５の外径よりも大きく形成されている。また、第２の段差部３６の外径は、クリップ係止孔１７ｃの内径と略等しいか、またはクリップ係止孔１７ｃの内径が若干大きく形成されている。
【００５１】
そして、第１の段差部３５と、第２の段差部３６とは、その高さが、それぞれクリップ係止孔１５ｅ及びクリップ係止孔１７ｃの高さ、すなわちサイドフレーム１５の側板１５ａ及び下部フレーム１７の側板１７ａの板厚と略等しくなるように形成されている。
【００５２】
したがって、第１の段差部３５は、クリップ係止孔１５ｅに、第２の段差部３６は、クリップ係止孔１７ｃに対して係合しやすくなり、クリップ３０がさらに強固にシートフレームＦに取り付けられる。
【００５３】
このように、二枚の板材が重ねられた部分においてクリップ３０を挿通し、さらにクリップ係止孔１５ｅとクリップ係止孔１７ｃとの内径を上記関係とすることにより、クリップ３０は、挿入部３２の挿通後、挿入部３２が拡径しやすく、強固に取り付けられる。さらに、内側のクリップ係止孔１７ｃの内側においてクリップ係止孔１５ｅ及び第１の段差部３５が物理的に保護されるため、より取り付け強度を向上させることができる。
【００５４】
一方、二枚の板材にそれぞれ形成されるクリップ係止孔１５ｅ，１７ｃの内径を、互いに同じ大きさとすると、クリップ３０が押し込みにくくなるため好ましくない。また、クリップ３０が押圧される側（すなわち、ハーネスＨがホルダー部３１によって保持されている側）に形成されるクリップ係止孔と、挿入部３２が押し込まれる側に形成されるクリップ係止孔の大きさが、本実施形態と逆である場合は、クリップ係止孔が小さく形成されている部分でのみ（すなわち、一箇所でのみ）クリップ３０が係合する。したがって、クリップ３０の取り付け強度を向上させることができない。
【００５５】
そして、クリップ３０を強固に取り付けるため、クリップ３０には、さらに付勢部３３が備えられている。付勢部３３は、挿入部３２の何れの部分よりもその径が大きくなるように形成された皿状の部分であり、ホルダー部３１と挿入部３２との間に形成されている。付勢部３３はクリップ係止孔１５ｅの周囲、すなわちサイドフレーム１５の側板１５ａを挿入部３２側へ押圧する。これにより、クリップ３０の挿入部３２はシートフレームＦの外側（図５の下方側）、すなわちクリップ３０が抜き取られる方向に付勢されるため、第１の段差部３５及び第２の段差部３６が、クリップ係止孔１５ｅ及びクリップ係止孔１７ｃに対して係合しやすくなる。
【００５６】
また、付勢部３３によって、クリップ係止孔１５ｅ及び第１の段差部３５が外側から覆われて物理的に保護されるため、より強固にクリップ３０を固定することができる。
その結果、クリップ３０はシートフレームＦに対し、強固に取り付け可能である。
【００５７】
以下、クリップ３０の取り付け方法を説明する。まず、クリップ３０の先端部３７をシートフレームＦの内側（すなわち、下部フレーム１７側）に向けて、外側（すなわち、サイドフレーム１５側）から押圧し、挿入部３２を、クリップ係止孔１５ｅ，１７ｃに圧入する。なお、クリップ係止孔１５ｅの内径は、少なくともクリップ３０の先端部３７の外径よりも大きく形成されている必要がある。
【００５８】
このように、クリップ３０の挿入部３２がクリップ係止孔１５ｅ，１７ｃを通過し、クリップ係止孔１５ｅ，１７ｃに挿通される際、挿入部３２は先端部３７から第２の段差部３６にかけて形成された傾斜部が縮径する。そして、挿入部３２をクリップ係止孔１５ｅ，１７ｃに対して十分に深く差し込んだとき、クリップ係止孔１５ｅと比して十分に大きな径をもって形成された付勢部３３がストッパの役割を果たし、クリップ３０の挿入が押し止められる。
【００５９】
このとき、挿入部３２がクリップ係止孔１５ｅ，１７ｃを通過した後、縮径した挿入部３２は拡径して通常の状態に戻り、第１の段差部３５及び第２の段差部３６がそれぞれクリップ係止孔１５ｅ及びクリップ係止孔１７ｃに係合する。したがって、第１の段差部３５及び第２の段差部３６の二箇所によってシートフレームＦに係止されるため、クリップ３０がより強固に係止される。さらに、クリップ係止孔１５ｅ，１７ｃは、従来、二枚の板材（サイドフレーム１５の側板１５ａ及び下部フレーム１７の側方部１７ａ）が重ねられた部分であるため、クリップ３０を固定するための部材を別途作成する必要が無く、また、クリップ３０を押し込むだけでよいので、その構成が簡単であり、作業工程が煩雑となることがない。
【００６０】
本実施形態では、サイドフレーム１５及び下部フレーム１７が重ねられた位置においてクリップ係止孔１５ｅ、１７ｃがそれぞれ設けられた構成を例示したが、二枚の板材が重ねられた部分であれば、その他の部材に対して径が異なるクリップ係止孔をそれぞれ形成し、上記構成のクリップ３０を固定しても良いのは勿論である。
【００６１】
ただし、シートフレームＦのサイドフレーム１５，１５の近傍、さらにはサイドフレーム１５，１５の下方部分には、サイドエアバッグ４０等の安全装置や電装品等が取り付けられることが多いため、サイドフレーム１５，１５と下部フレーム１７とが重ねられた部分には、ハーネスＨ等の索状体が最も多く配置される。そして、サイドフレームと下部フレームとが重ねられた部分は、ハーネスＨ等の索状体が屈曲して集中しやすい部分であるため、上記構成により、クリップ３０を強固に取り付け可能であると信頼性の高い車両用シートＳを提供することができる。
【００６２】
（ハーネス挿通孔１５ｄの構成）
また、サイドフレーム１５には、図６及び図７に示すように、索状体挿通孔としてのハーネス挿通孔１５ｄが形成されている。なお、図６及び図７は、簡略化のため、クリップ３０を省略して図示している。
ハーネス挿通孔１５ｄは、ハーネスＨをシートフレームＦに挿通させるための孔であり、板材としてのサイドフレーム１５に形成されている。
【００６３】
ハーネス挿通孔１５ｄの周縁は、サイドフレーム１５の側板１５ａが、シートフレームＦの外側から内側に向かって略垂直に折り曲げられた折曲部１５ｆを備えており、折曲部１５ｆの折り曲げられた幅は、少なくとも、サイドフレーム１５の側板１５ａの板厚よりも幅広に形成されている。なお、この折曲部１５ｆは、ハーネス挿通孔１５ｄの周縁の全てに形成されている必要はなく、少なくとも、ハーネスＨが当接する部分、例えばシートフレームＦの下方側の周縁に形成されていればよい。
【００６４】
ハーネス挿通孔１５ｄの内側にハーネスＨが挿通された際、ハーネスＨはその縁部分に擦れることがあるが、単に板材を切除して形成された孔とするのではなく、幅広の折曲部１５ｆを形成することによって、ハーネスＨが損傷するのを防止することができる。
【００６５】
そして、ハーネス挿通孔１５ｄは、ハーネスＨの外径よりもその内径（幅）が大きく形成されている。このように、ハーネス挿通孔１５ｄの幅を、ハーネスＨの外径よりも大きく形成することにより、両者を略等しくなるように形成した場合と比較して、摩擦によりハーネスＨにかかる不可がより低減する。
【００６６】
そして、ハーネス挿通孔１５ｄを介してハーネスＨをシートフレームＦの外側から内側、または内側から外側に挿通させることができるため、ハーネスＨを無理に折り曲げる必要がなく、配線がより行いやすくなる。なお、図６及び図７においては、ハーネスＨをサイドフレーム１５の外側から内側へ挿通させた例を示している。
【００６７】
さらに、ハーネス挿通孔１５ｄは、略円形状に形成されているため、矩形上に形成されたものと比較して、ハーネスＨにかかる負荷を小さくすることができる。一般に、ハーネスＨは断面円形状に形成されることが多いため、円形のハーネス挿通孔１５ｄとすることにより、ハーネスＨとの接触面積が大きくなるため、負荷を軽減しやすい。
【００６８】
また、ハーネス挿通孔１５ｄの折曲部１５ｆは、シートフレームＦの内側に向かって折り曲げられている。このように、シートフレームＦの内側に向かって側板１５ａを折り曲げることにより、シートフレームＦの外側に折曲部１５ｆが突出することない。一般に、シートフレームＦの外側には、クッションパッド１ａ，２ａが載置されるため、ハーネスＨは、クッションパッド１ａ，２ａによりシートフレームＦ側に押圧される構成となる。このとき、折曲部１５ｆが内側に形成されることにより、サイドフレーム１５の外側の面において、ハーネス挿通孔１５ｄの周縁が滑らかな面で形成されているため、ハーネスＨが押圧されても、ハーネスＨは損傷しにくい。したがって、折曲部１５ｆが内側に折り込まれていると、ハーネスＨが保護されやすい。
【００６９】
上記のように、折曲部１５ｆを備えたハーネス挿通孔１５ｄを備えることにより、ハーネスＨの保護のために設けられる被覆部材を簡素化することが可能であるため、より軽量な車両用シートＳを提供することができる。さらに、ハーネスＨをハーネス挿通孔１５ｄに挿通させる際、折曲部１５ｆによって縁部分が丸められているため、作業者はより安全、且つ容易にハーネスＨを挿通させて配索することが可能となる。
【００７０】
なお、本実施形態において、折曲部１５ｆを備えたハーネス挿通孔１５ｄは、サイドフレーム１５に形成された例を示したが、その他の板材によって形成された部材（例えば、下部フレーム１７等）に設けられていても良い。また、図６及び図７では、クリップ３０を省略して図示したが、ハーネス挿通孔１５ｄの近傍において、ハーネスＨがクリップ３０によってサイドフレーム１５、または下部フレーム１７に固定されていると、折曲部１５ｆとハーネスＨとの接触部分にかかる負荷が小さくなるため、好ましい。
【００７１】
また、本実施形態において、ハーネスＨは、下部フレーム１７近傍に取り付けられる例を示したが、その他の部分において取り付けられていても良い。
【００７２】
このように、上記で説明した索状体の固定構造は、挿入部３２に第１の段差部３５及び第２の段差部３６が備えられたクリップ３０を、二枚の板材（サイドフレーム１５の側板１５ａ及び下部フレーム１７の側方部１７ａ）において径が異なるように形成されたクリップ係止孔１５ｅ，１７ｃに圧入して係止することにより、ハーネスＨをシートフレームＦに対して強固に固定することができる。さらに、このクリップ係止孔１５ｅ，１７ｃは、互いの径が異なるように形成するだけでよいので、クリップ３０を取り付けるための部材を別途組み付ける必要が無く、簡単な構成である。したがって、複雑な構成となることなく、作業工程が煩雑となることがない。
【００７３】
なお、上記実施形態では、具体例として、自動車のフロントシートのハーネスＨの固定構造について説明したが、これに限らず、後部座席のシートバックについても、同様の構成を適用可能であることは勿論である。
【符号の説明】
【００７４】
Ｓ  車両用シート
Ｓ１  シートバック
Ｓ２  着座部
Ｓ３  ヘッドレスト
Ｆ  シートフレーム
Ｈ  ハーネス（索状体）
１  シートバックフレーム
２  着座フレーム
１ａ，２ａ，３ａ  クッションパッド（パッド材）
１ｂ，２ｂ，３ｂ  表皮材
１１  リクライニング機構
１１ａ  リンクライニングシャフト
１５  サイドフレーム（第１の板材）
１５ａ  側板
１５ｂ  前縁部
１５ｃ  後縁部
１５ｄ  ハーネス挿通孔
１５ｅ  クリップ係止孔（第１の固定部材係止孔）
１５ｆ  折曲部
１６  上部フレーム（管状部材）
１６ａ  側面部
１７  下部フレーム（第２の板材）
１７ａ  側方部
１７ｂ  中央部
１７ｃ  クリップ係止孔（第２の固定部材係止孔）
１７ｄ，１７ｅ  クリップ係止孔
１８  ピラー支持部
１９  ヘッドレストピラー
３０  クリップ（固定部材）
３１  ホルダー部
３２  挿入部
３３  付勢部
３４  空洞部
３５  第１の段差部
３６  第２の段差部
３７  先端部
４０  サイドエアバッグ
【図１】
0005908208.tif 000002
【図２】
0005908208.tif 000003
【図３】
0005908208.tif 000004
【図４】
0005908208.tif 000005
【図５】
0005908208.tif 000006
【図６】
0005908208.tif 000007
【図７】
0005908208.tif 000008